(57)【要約】【課題】多様な身体支持装置に適用できるオプション受けを提供する。【解決手段】身体支持装置にオプションを取り付けるオプション受け２であって、オプションが取り付けられる受け部１０１と、身体支持装置に取り付けられ、受け部１０１と重なる範囲を変更できる取り付け部８１と、を備える。【選択図】図１６
2019058254.tif 000002
【特許請求の範囲】
【請求項１】
身体支持装置にオプションを取り付けるオプション受けであって、
前記オプションが取り付けられる受け部と、
前記身体支持装置に取り付けられ、前記受け部と重なる範囲を変更できる取り付け部と、
を備えるオプション受け。
【請求項２】
前記取り付け部は、前記身体支持装置の一部を挟む第１部材および第２部材を有する請求項１に記載のオプション受け。
【請求項３】
前記取り付け部は、前記身体支持装置に形成された貫通孔、前記第１部材に形成された第１通孔、および前記第２部材に形成された第２通孔にそれぞれ挿入されたボルトを有する請求項２に記載のオプション受け。
【請求項４】
前記受け部は、前記取り付け部に対してスライドして前記受け部と重なる範囲を変更する請求項１から３のいずれか一項に記載のオプション受け。
【請求項５】
請求項１から４のいずれか一項に記載のオプション受けと、
前記身体支持装置と、
を備える身体支持システム。
【発明の詳細な説明】
【技術分野】
【０００１】
本発明は、オプション受けおよび身体支持システムに関する。
【背景技術】
【０００２】
身体支持システムとして、例えば特許文献１が知られている。この身体支持システムでは、柵やテーブル等のオプションを取り付けると、身体支持システムの機能が向上する。
身体支持システムにオプションを取り付ける方法の１つとして、身体支持システムにオプション受けを取り付け、このオプション受けにオプションを取り付ける方法がある。
【先行技術文献】
【特許文献】
【０００３】
【特許文献１】特開２０１７−０１８５９１号公報
【発明の概要】
【発明が解決しようとする課題】
【０００４】
本発明は、多様な身体支持装置に適用できるオプション受けを提供する。
【課題を解決するための手段】
【０００５】
本発明の一態様に係るオプション受けは、身体支持装置にオプションを取り付けるオプション受けであって、前記オプションが取り付けられる受け部と、前記身体支持装置に取り付けられ、前記受け部と重なる範囲を変更できる取り付け部と、を備える。
【発明の効果】
【０００６】
本発明のオプション受けによれば、多様な身体支持装置に適用できる。
【図面の簡単な説明】
【０００７】
【図１】本発明の一実施形態に係る身体支持システムの斜視図である。
【図２】図１に示す身体支持システムの側面図であって、支持台が下降端位置に位置する状態を示す図である。
【図３】図１に示す身体支持システムの上面図である。
【図４】図１に示す身体支持システムの下面図である。
【図５】図４に示す下面図においてＡ部を拡大した図である。
【図６】図２に示す身体支持システムにおいて支持台を上昇端位置まで上昇させた状態を示す側面図である。
【図７】図６に示す側面図においてＢ部を拡大するとともに一部を透過した状態を示す図である。
【図８】図１に示す身体支持システムの身体支持装置において、支持台を上昇端位置まで上昇させるとともに背ボトムおよび脚ボトムを回動させた状態を示す斜視図である。
【図９】図８に示す状態から背ボトムおよび脚ボトムを取り外した状態を示す斜視図である。
【図１０】図６に示す身体支持装置において駆動部を作動させた状態を示す側面図である。
【図１１】図１０に示す側面図においてＣ部を拡大するとともに一部を透過した状態を示す図である。
【図１２】図１に示す身体支持システムに備わる入力部の一例を示す図である。
【図１３】図９に示す斜視図から架台の要部を抜き出した図である。
【図１４】図１に示す身体支持システムの第１オプション受けに棚を装着した状態の斜視図である。
【図１５】図１４に示す身体支持システムの第１オプション受け周辺の構成の一部を分解した斜視図である。
【図１６】図１４に示す第１オプション受けの要部の斜視図である。
【図１７】図１４に示す身体支持システムにおいて、各オプション受けの第２方向の位置を調節し、棚を付け替えた状態を示す斜視図である。
【発明を実施するための形態】
【０００８】
本発明の一実施形態に係る身体支持システム１を、図面に基づいて以下に説明する。
図１および図１４に示す本実施形態の身体支持システム１は、身体支持装置１０と、第１オプション受け２（オプション受け）と、を備えている。
身体支持装置１０は、例えば、医療環境下（介護環境下を含む）において、一般床ベッドやＩＣＵベッド等として利用することができる寝台装置（ベッド）であり、床面ＦＬ上に設置されている。なお、図１を含む各図において、符号Ｘは身体支持装置１０の長手方向に沿った第１方向Ｘを示し、符号Ｙは身体支持装置１０の幅方向に沿った第２方向Ｙを示し、そして符号Ｚ方向は身体支持装置１０の高さ方向（鉛直方向）に沿った第３方向Ｚを示す。
身体支持装置１０を第３方向Ｚに沿って平面視した場合に、身体支持装置１０は、第１方向Ｘよりも、第１方向Ｘに直交する第２方向Ｙに短い。第１方向Ｘは、身体支持装置１０上に横たわる使用者の身長の方向となる。
【０００９】
［身体支持装置１０の概略構成］
まず、身体支持装置１０の概略構成について説明する。
図１に示すように、身体支持装置１０は、使用者（不図示）を支持する支持台１１と、支持台１１を支持する架台１２と、支持台１１および架台１２の動きを制御する制御部１７と、を備えている。身体支持装置１０は、電力を動力源として動作する電動ベッドである。
【００１０】
＜支持台１１＞
図１から図３に基づいて、支持台１１について説明する。
支持台１１は、背ボトム（Back section）２１と、腰ボトム（Seat section）２２と、脚ボトム（Leg section）２３と、を備えている。これらの背ボトム２１、腰ボトム２２および脚ボトム２３は、第１方向Ｘに沿ってこの順に並んでいる。背ボトム２１は、使用者の背を支える。腰ボトム２２は、使用者の腰を支える。脚ボトム２３は、使用者の脚を支える。
【００１１】
脚ボトム２３は、膝ボトム（Upper leg section）２４と、足ボトム（Lower leg section）２５と、を備えている。これらの膝ボトム２４および足ボトム２５は、第１方向Ｘに沿ってこの順に並んでいる。膝ボトム２４は、使用者の膝から腰を支える。足ボトム２５は、使用者の膝から足先を支える。
支持台１１上には、使用者が横たわる図示しないマットレスが配置される。すなわち、身体支持装置１０の支持台１１上に前記マットレスが載置され、さらにこのマットレスの上に使用者が横たわる。
【００１２】
＜架台１２＞
図１、図２、図４から図１３に基づいて、架台１２について説明する。
図７に示すように、架台１２は、支持台１１を支持するメインフレーム３２と、メインフレーム３２の下方に位置するベースフレーム３１と、ベースフレーム３１に対してメインフレーム３２を昇降させる昇降機構３３と、背ボトム２１を移動させる背上げ機構３９と、脚ボトム２３を移動させる膝上げ機構４５と、を備えている。
【００１３】
（ベースフレーム３１）
図６に基づいて、ベースフレーム３１について説明する。
ベースフレーム３１には、キャスター３６と、キャスター３６の回転を規制するキャスターロック７７と、ベースフレーム３１から下方に突出するストッパ７８と、が設けられている。キャスター３６は、ベースフレーム３１を平面視した場合の四隅の位置に配置される。キャスター３６は、床面ＦＬに接地する。
【００１４】
キャスターロック７７は、ベースフレーム３１よりも第１方向Ｘに沿った外方に突出している。キャスターロック７７は、足ボトム２５の下方に配置されている。キャスターロック７７は、例えば、身体支持装置１０の搬送者（不図示）の足により操作される。本実施形態では、搬送者がキャスターロック７７を上方から踏んでキャスターロック７７が下降したときに、キャスター３６の回転が規制される。逆に、搬送者が足でキャスターロック７７を引き上げたときには、キャスター３６の回転の規制が解除される。
【００１５】
ストッパ７８は、ベースフレーム３１の下方に図示しないオプション（例えば机や介護リフト等）の脚部が進入した場合に、キャスターロック７７に接近することを規制する。ストッパ７８は、ベースフレーム３１における第１方向Ｘの中央部とキャスターロック７７との間に配置されている。
【００１６】
（昇降機構３３）
図７、図９および図１３に基づいて、昇降機構３３について説明する。
図７に示すように、昇降機構３３は、いわゆるＸリンク構造を採用している。昇降機構３３には、例えば、特願２０１６−００９８１６号（発明の名称：連結フレームおよびこれを備えるベッド装置、出願日：２０１６年１月２１日）に記載のリンク式昇降機構を援用できる。この特許出願は援用によりその全体が組み込まれる。昇降機構３３は、互いに交差して配置される第１リンク５１および第２リンク５２と、第１リンク５１および第２リンク５２の中央部同士を連結するピン５４と、第１リンク５１および第２リンク５２の端部に設けられた板材５８と、第１リンク５１および第２リンク５２を移動させる駆動部６１と、を備えている。
なお、本実施形態では、昇降機構３３はアクチュエータを使用したＸリンク構造を採用しているが、この場合に限定されず、昇降機構３３は、例えばアクチュエータのみで構成されていてもよいし、アクチュエータを使用していないリンク機構のみで構成されていてもよい。
【００１７】
第１リンク５１および第２リンク５２は、前記平面視した場合に、いずれも第１方向Ｘに沿って延びる棒状である。第１リンク５１の一端部５１ａおよび第２リンク５２の一端部５２ａは、腰ボトム２２の下方に位置している。第１リンク５１の他端部５１ｂおよび第２リンク５２の他端部５２ｂは、脚ボトム２３の下方に位置している。
第１リンク５１および第２リンク５２のうちの少なくとも１つ（本実施形態では両方）は、側面視して曲がっている。具体的に言うと、第１リンク５１は、上方に突となるように曲がっている。一方、第２リンク５２は、下方に突となるように曲がっている。
【００１８】
図９に示すように、第１リンク５１および第２リンク５２はそれぞれ、第２方向Ｙに間隔をあけて一対設けられている。本実施形態では、ピン５４によって連結された１組の第１リンク５１および第２リンク５２が、第２方向Ｙに間隔をあけて一対設けられている。一対の第１リンク５１同士、および一対の第２リンク５２同士はそれぞれ、パイプ５３によって連結されている。
【００１９】
パイプ５３は、一対の第１リンク５１の一端部５１ａ同士を連結する第１パイプ５３１と、一対の第１リンク５１の他端部５１ｂ同士を連結する第２パイプ５３２と、一対の第２リンク５２の一端部５２ａ同士を連結する第３パイプ５３３と、一対の第２リンク５２の他端部５２ｂ同士を連結する第４パイプ５３４と、を備えている。
【００２０】
図１３に示すように、板材５８は、第１パイプ５３１に固定された第１板材５８１と、第２パイプ５３２に固定された第２板材５８２と、第３パイプ５３３に固定された第３板材５８３と、を備えている。
第１板材５８１は、ベースフレーム３１に連結されている。第１板材５８１は、ベースフレーム３１に対して回転できる。
【００２１】
第２板材５８２には、第１ローラ５５ａが設けられている。第１ローラ５５ａは、メインフレーム３２に固定された第１チャンネル材５５に支持されている。第１チャンネル材５５は、第１方向Ｘに沿って延びている。第１ローラ５５ａは、第１チャンネル材５５に沿って第１方向Ｘにスライド移動する。
【００２２】
第３板材５８３は、メインフレーム３２に連結されている。第１板材５８１は、メインフレーム３２に対して回転できる。
なお、第４パイプ５３４には、第２ローラ５６ａが設けられている。第２ローラ５６ａは、ベースフレーム３１に固定された第２チャンネル材５６に支持されている。第２チャンネル材５６は、第１方向Ｘに沿って延びている。第２ローラ５６ａは、第２チャンネル材５６に沿って第１方向Ｘにスライド移動する。
【００２３】
図７に示すように、駆動部６１は、前記平面視した場合に第１方向Ｘに沿って伸縮する直動アクチュエータである。駆動部６１は、伸長することで、第１板材５８１を中心として第１リンク５１を上側に回転させる。第１リンク５１には、駆動部６１の伸縮運動を第１リンク５１の回転運動に変換するリンク機構６５が設けられている。図４に示すように、駆動部６１は、リンク機構６５および第２パイプ５３２のそれぞれに連結されている。
【００２４】
前記昇降機構３３では、メインフレーム３２をベースフレーム３１に対して上昇させるときには、図７に示すように、駆動部６１が伸長する。すると、第１リンク５１が第１板材５８１を中心として上側に回転し、第１ローラ５５ａが第１チャンネル材５５に沿ってスライド移動する。このとき、第２リンク５２は、第３板材５８３を中心として下側に回転し、第２ローラ５６ａが第２チャンネル材５６に沿ってスライド移動する。これにより、ベースフレーム３１に対してメインフレーム３２が上昇する。
【００２５】
（背上げ機構３９）
図９から図１１に基づいて、背上げ機構３９について説明する。
図１０に示すように、背上げ機構３９は、背ボトム２１を傾斜させる。図１１に示すように、背上げ機構３９は、メインフレーム３２に連結された軸部材２６ａと、軸部材２６ａに固定された第１部材４３と、背ボトム２１の下面に固定された第２部材４０と、メインフレーム３２と第２部材４０とを連結する第１リンク４４と、第１部材４３と第２部材４０とを連結する第２リンク４２と、軸部材２６ａを回転させる駆動部６３と、を備えている。
【００２６】
図９に示すように、軸部材２６ａは、第２方向Ｙに延びている。軸部材２６ａはメインフレーム３２に連結された状態で回転する。
第１部材４３は、図７に示すような背上げ前（背ボトム２１の傾斜前）の状態で軸部材２６ａから第１方向Ｘに延びている。図９に示すように、第１部材４３の一端部４３ａは、軸部材２６ａに固定されている。図１０に示すように、第１部材４３の他端部４３ｂには、ローラ４３ｃが設けられている。ローラ４３ｃは、第２部材４０の下面に当接する。
【００２７】
第１リンク４４は、メインフレーム３２および第２部材４０それぞれにピン４４ａによって連結されている。図１１に示すように、第２リンク４２は、第１部材４３および第２部材４０それぞれにピン４２ａによって連結されている。第１リンク４４、第２リンク４２および第２部材４０は、リンク機構４１を形成する。
【００２８】
図９に示すように、駆動部６３は、前記平面視した場合に第１方向Ｘに伸縮する直動アクチュエータである。駆動部６３は、伸長することで軸部材２６ａを回転させる。駆動部６３は、メインフレーム３２に設けられた第１ブラケット６３ａ、および軸部材２６ａに設けられた第２ブラケット６３ｂそれぞれに連結されている。駆動部６３は、第１ブラケット６３ａおよび第２ブラケット６３ｂそれぞれにピン６３ｃによって連結されている。
【００２９】
前記背上げ機構３９では、背上げ前の状態で駆動部６３が伸長して軸部材２６ａが回転し第１部材４３の他端部４３ｂが上昇することで、図１０に示すように、ローラ４３ｃが第２部材４０の下面をスライド移動して第１部材４３が第２部材４０を押し上げる。このとき図１１に示すように、リンク機構４１が移動することで、背ボトム２１全体が第１方向Ｘに移動しながら、背ボトム２１が軸部材２６ａ回りに起伏する。その結果、背ボトム２１が水平面に対して傾斜する背上げ状態となる。
【００３０】
（膝上げ機構４５）
図６および図７に基づいて、膝上げ機構４５について説明する。
膝上げ機構４５は、脚ボトム２３を図６に示す２点鎖線のように移動できる。図７に示すように、膝上げ機構４５は、メインフレーム３２に連結された軸部材２６ｂと、軸部材２６ｂに固定された第１部材４６と、膝ボトム２４の下面に固定された第２部材４７と、足ボトム２５の下面に固定された第３部材４８と、軸部材２６ｂを回転させる駆動部６４と、を備えている。
【００３１】
軸部材２６ｂは、第２方向Ｙに延びている。軸部材２６ｂはメインフレーム３２に連結された状態で回転する。
第１部材４６は、膝上げ前（脚ボトム２３の移動前）の状態で軸部材２６ｂから第１方向Ｘに延びている。第１部材４６の一端部４６ａは、軸部材２６ｂに固定されている。第１部材４６の他端部４６ｂには、ローラ４６ｃが設けられている。ローラ４６ｃは、第２部材４７の下面に当接する。
【００３２】
第２部材４７は、膝上げ前の状態で第１方向Ｘに延びている。第２部材４７の一端部４７ａは、メインフレーム３２に第１ピン４９ａによって連結されている。
第３部材４８は、膝上げ前の状態で第２部材４７の他端部４７ｂから第１方向Ｘに延びている。第３部材４８の一端部４８ａは、第２部材４７の他端部４７ｂに第２ピン４９ｂによって連結されている。
【００３３】
駆動部６４は、前記平面視した場合に第１方向Ｘに伸縮する直動アクチュエータである。駆動部６４は、伸長することで軸部材２６ｂを回転させる。駆動部６４は、メインフレーム３２に設けられた第１ブラケット６４ａ、および軸部材２６ｂに設けられた第２ブラケット６４ｂそれぞれに連結されている。駆動部６４は、第１ブラケット６４ａおよび第２ブラケット６４ｂそれぞれにピン６４ｃによって連結されている。
【００３４】
前記膝上げ機構４５では、膝上げ前の状態で駆動部６４が伸長して軸部材２６ｂが回転し第１部材４６の他端部４６ｂが上昇することで、ローラ４６ｃが第２部材４７の下面をスライド移動し、第１部材４６が第２部材４７を押し上げる。このとき、第２部材４７が第１ピン４９ａ回りに上側に回転し、第３部材４８が第２ピン４９ｂ回りに下側に回転する。その結果、図６の二点鎖線に示すように、脚ボトム２３の全体が上方に屈曲する膝上げ状態となる。
【００３５】
＜制御部１７＞
図９に示すように、制御部１７は、支持台１１の下方に位置しメインフレーム３２に固定されている。制御部１７は、各駆動部６１、６３、６４を制御する。制御部１７には、図１２に示す入力部１８が有線接続や無線接続されている。入力部１８には、使用者や介助者が、身体支持装置１０の動作に関する指令を入力する。入力部１８は、複数の操作子７１を備えている。複数の操作子７１は、第１操作子７２と、第２操作子７３と、第３操作子７４と、第４操作子７５と、を備えている。
【００３６】
各操作子７１が操作されると、入力部１８が制御部１７に、どの操作子７１が操作されたかについての信号を送る。制御部１７が入力部１８から第１操作子７２が操作された信号を受けると、制御部１７が、背上げ機構３９の駆動部６３および膝上げ機構４５の駆動部６４の両方を制御するための信号を生成して駆動部６３、６４に送る。制御部１７が入力部１８から第２操作子７３が操作された信号を受けると、制御部１７が、背上げ機構３９の駆動部６３を制御するための信号を生成して駆動部６３に送る。制御部１７が入力部１８から第３操作子７４が操作された信号を受けると、制御部１７が、膝上げ機構４５の駆動部６４を制御するための信号を生成して駆動部６４に送る。制御部１７が入力部１８から第４操作子７５が操作された信号を受けると、制御部１７が、昇降機構３３の駆動部６１を制御するための信号を生成して駆動部６１に送る。
【００３７】
以上で、本発明の実施形態に係る身体支持装置１０における構成の概要について説明した。以下では、身体支持装置１０における構成の詳細について説明する。
【００３８】
［第１オプション受け］
図１４に示すように、本実施形態の身体支持装置１０には、第１オプション受け２が取り付けられている。ここで言う第１オプション受け２とは、身体支持装置１０に柵、介助バー、テーブル、ＩＶポール等のオプションを取り付けるための部材のことを意味する。
第１オプション受け２は、例えば身体支持装置１０に取り付けられる。図１４では、第１オプション受け２に、オプションである柵１２１が取り付けられている。第１オプション受け２は、身体支持装置１０に柵１２１を取り付ける。
【００３９】
図１５に示すように、身体支持装置１０のメインフレーム３２に、第２方向Ｙに貫通する複数の貫通孔３２ａが形成されている。複数の貫通孔３２ａは、第１方向Ｘに間隔をあけて形成されている。本実施形態では、２つで１組の貫通孔３２ａが、第１方向Ｘに２組配置されている（１組の貫通孔３２ａは不図示）。
２組の貫通孔３２ａは、メインフレーム３２における第１方向Ｘの中央部に形成されている。
【００４０】
第１オプション受け２は、図１５に示すような２つの取り付け部８１と、図１６に示すような受け部１０１と、を備えている。なお、第１オプション受け２が備える取り付け部８１の数は特に限定されず、１つでもよいし、３つ以上でもよい。
【００４１】
［取り付け部］
図１５に示すように、取り付け部８１は、身体支持装置１０のメインフレーム３２に取り付けられる。取り付け部８１は、第１部材８２と、第２部材８３と、本体８４と、第１ボルト（ボルト）８５と、第１ナット８６と、を備えている。
【００４２】
第１部材８２は、第１板材８８と、第２板材８９と、第３板材９０と、を備えている。第１板材８８は、メインフレーム３２の下面（水平面）に沿うように配置されている。
第２板材８９は、第１板材８８の第２方向Ｙにおける身体支持装置１０とは反対側の端部から下方に向かって延びている。第２板材８９には、２つの第１貫通孔８９ａが第１方向Ｘに間隔をあけて形成されている。第３板材９０は、第１板材８８の第２方向Ｙにおける身体支持装置１０側の端部から上方に向かって延びている。第３板材９０には、２つの第１通孔９０ａが第１方向Ｘに間隔をあけて形成されている。第１板材８８の第２方向Ｙの長さと、メインフレーム３２の第２方向Ｙの長さ（幅）とは、ほぼ等しい。
例えば、第１部材８２は、鋼板を折り曲げること等により形成されている。第１板材８８は、メインフレーム３２の下面に接触した状態に配置されている。第３板材９０は、メインフレーム３２の第２方向Ｙにおける身体支持装置１０側の面に接触した状態に配置されている。
【００４３】
第２部材８３は、板状に形成されている。第２部材８３の厚さ方向は、第２方向Ｙである。第２部材８３の下部には、２つの第２貫通孔８３ａが第１方向Ｘに間隔をあけて形成されている。２つの第２貫通孔８３ａのピッチと、第２板材８９の２つの第１貫通孔８９ａのピッチとは、ほぼ等しい。
第２部材８３の上部には、２つの第２通孔８３ｂが第１方向Ｘに間隔をあけて形成されている。２つの第２通孔８３ｂのピッチと、第３板材９０の２つの第１通孔９０ａのピッチと、メインフレーム３２の１組の貫通孔３２ａのピッチとは、互いにほぼ等しい。
第２部材８３の下端部における２つの第２貫通孔８３ａの間には、切欠き８３ｃが形成されている。切欠き８３ｃは、第２部材８３を第２方向Ｙに貫通し、下方に向かって開口している。
例えば、第２部材８３は、鋼板等により形成されている。第２部材８３は、メインフレーム３２の第２方向Ｙにおける身体支持装置１０とは反対側の面に接触した状態に配置されている。第１部材８２の第３板材９０および第２部材８３は、メインフレーム３２（身体支持装置１０の一部）を第２方向Ｙに挟んでいる。
【００４４】
本体８４は、第２方向Ｙに延びる角筒状に形成されている。なお、本体８４は筒状に形成されていればよい。
本体８４の第２方向Ｙにおける身体支持装置１０とは反対側の端部には、貫通孔８４ａが形成されている。貫通孔８４ａは、本体８４を第３方向Ｚに貫通している。貫通孔８４ａは、平面視で正方形状に形成されている。貫通孔８４ａに後述する第２ボルト１１１が挿入されること等により、取り付け部８１に受け部１０１が固定される。
本体８４の上面には、貫通孔８４ａよりも第２方向Ｙにおける身体支持装置１０側に、複数のスリット８４ｂ（被係合部）が形成されている。スリット８４ｂは、平面視で第１方向Ｘに長い矩形状に形成されている。スリット８４ｂに後述するフック１０９が挿入されると、取り付け部８１に対して受け部１０１が第２方向Ｙに固定される。
複数のスリット８４ｂは、第２方向Ｙに互いに間隔をあけて形成されている。
【００４５】
本体８４の第２方向Ｙにおける身体支持装置１０側の端部は、第２板材８９における第１方向Ｘの中央部に溶接されている。本体８４の下端の位置と第２板材８９の下端の位置とは、ほぼ等しい。本体８４の身体支持装置１０側の端部は、第２部材８３の切欠き８３ｃ内に配置されている。
【００４６】
第１ボルト８５の軸部８５ａは、第２部材８３の第２通孔８３ｂ、メインフレーム３２の貫通孔３２ａ、および第１部材８２の第１通孔９０ａにそれぞれ挿入されている。第１ボルト８５の頭部８５ｂは、第２方向Ｙにおける身体支持装置１０とは反対側から第２部材８３に接触している。
第１ナット８６は、第１ボルト８５の軸部８５ａに嵌め合っている。第１ナット８６は、第１部材８２の第３板材９０に第２方向Ｙにおける身体支持装置１０側から接触している。第１ボルト８５の頭部８５ｂに向かって、第１ナット８６を締め込む。これにより、取り付け部８１は、メインフレーム３２に嵌め合い、身体支持装置１０に取り付けられている。
取り付け部８１の各構成は、メインフレーム３２よりも剛性（強度）の高い材料で形成されていることが好ましい。
【００４７】
第２部材８３の第２貫通孔８３ａ、および第１部材８２の第１貫通孔８９ａには、第３ボルト９２がそれぞれ挿入されている。第３ボルト９２の雄ネジには、第３ナット９３が嵌め合っている。
【００４８】
［受け部］
図１６に示すように、受け部１０１は、本体１０２と、一対の腕部１０３とを備えている（一方の腕部１０３は不図示）。なお、図１６では、図１５に比べて本体８４を第３方向Ｚに長く記載している。また、図１６では、図１４に比べて本体１０２の第１方向Ｘの端部における角部の丸みを帯びた形状を省略して示している。
本体１０２は、第１板材１０２ａと、第２板材１０２ｂとを備えている。第１板材１０２ａは、厚さ方向が第１方向Ｘになるように配置されている。第２板材１０２ｂは、第１板材１０２ａの上端部から、第２方向Ｙにおける身体支持装置１０側に向かって延びている。
第２板材１０２ｂの第１方向Ｘにおける各端部の上面には、凹部１０５が設けられている（図１４も参照）。凹部１０５に柵１２１を挿入すると、本体１０２に柵１２１が取り付けられる。
【００４９】
例えば、腕部１０３は、天板１０７と、一対の側板１０８とを備えている。
天板１０７は、水平面に沿うように配置されている。天板１０７には、第２方向Ｙに延びる長孔１０７ａが形成されている。長孔１０７ａは、天板１０７を第３方向Ｚに貫通している。天板１０７における第２方向Ｙにおける身体支持装置１０側の端部には、下方に向かって突出するフック（係合部）１０９が形成されている。フック１０９は、本体８４の各スリット８４ｂに挿入される。以下では、複数のスリット８４ｂのうち図１６においてフック１０９が挿入されているスリット８４ｂをスリット８４ｂＡとも言う。この場合、取り付け部８１と受け部１０１とが重なる範囲は、本体８４のうちスリット８４ｂＡよりも第２方向Ｙにおける身体支持装置１０とは反対側の範囲Ｒ１である。
【００５０】
フック１０９は、各スリット８４ｂに対して第２方向Ｙに係合する。天板１０７は、本体８４上に配置されている。
側板１０８は、天板１０７の第１方向Ｘの各端部から下方に向かって延びている。一対の側板１０８間の距離と、本体８４の第１方向Ｘの長さとは、ほぼ等しい。一対の側板１０８は、本体８４を第１方向Ｘに挟んでいる。腕部１０３は、第２方向Ｙから見たときに、下方が開口するＵ字形に形成されている。
受け部１０１の腕部１０３は、取り付け部８１の本体８４に対して第２方向Ｙにスライドできる。
【００５１】
図１６では、貫通孔８４ａおよび長孔１０７ａに、第２ボルト１１１の軸部１１１ａが挿入されている。第２ボルト１１１の頭部１１１ｂは、天板１０７に接触している。第２ボルト１１１の軸部１１１ａには、ノブナット１１２（第２ナット）が嵌め合っている。ノブナット１１２は、本体８４および側板１０８に接触している。ノブナット１１２と第２ボルト１１１の頭部１１１ｂは、腕部１０３および本体８４を第３方向Ｚに挟んでいる。
第２ボルト１１１の頭部１１１ｂに向かってノブナット１１２を締め込むと、取り付け部８１に受け部１０１が固定される。
一方で、第２ボルト１１１の頭部１１１ｂから離間する方向に向かってノブナット１１２を緩めると、スリット８４ｂＡから係合部１０９が取り外される。すると、腕部１０３は、本体８４に対して第２方向Ｙにスライドできる。
【００５２】
腕部１０３を本体８４に対して第２方向Ｙに移動させ、本体８４の他のスリット８４ｂ（以下では、このスリット８４ｂをスリット８４ｂＢとも言う）に係合部１０９を挿入する。第２ボルト１１１の頭部１１１ｂに向かって、ノブナット１１２を締め込む。すると、取り付け部８１に対して受け部１０１の第２方向Ｙの位置が調節された状態で、取り付け部８１に受け部１０１が固定される。この場合、取り付け部８１と受け部１０１とが重なる範囲は、本体８４のうちスリット８４ｂＢよりも第２方向Ｙにおける身体支持装置１０とは反対側の範囲Ｒ２である。
このように、取り付け部８１は、受け部１０１と重なる範囲を、範囲Ｒ１，Ｒ２等のように変更できる。
【００５３】
一方で、第２ボルト１１１とノブナット１１２との嵌め合いを解除し、取り付け部８１の本体８４に対して受け部１０１を上方に移動させて、本体８４から受け部１０１を取外す。第１ボルト８５と第１ナット８６との嵌め合い、および第３ボルト９２と第３ナット９３との嵌め合いを解除し、身体支持装置１０のメインフレーム３２から取り付け部８１を取外す。
以上の工程により、身体支持装置１０から第１オプション受け２を取外すことができる。
【００５４】
［棚］
図１４に示すように、柵１２１は、本体１２２と、一対の脚部１２３とを備えている。各脚部１２３は、本体１２２の下端部から下方に向かって延びている。一対の脚部１２３は、第１方向Ｘに間隔をあけて配置されている。一対の脚部１２３のピッチと、第１オプション受け２の一対の凹部１０５のピッチとは、ほぼ等しい。
各脚部１２３は、第１オプション受け２の一対の凹部１０５に着脱できる。
【００５５】
［他のオプション受け］
身体支持装置１０は、第２オプション受け１３１と、第３オプション受け１３６とを備えている。
第２オプション受け１３１は、第１方向Ｘに沿って背ボトム２１に対応する位置に配置されている。第２オプション受け１３１は、第１オプション受け２に対して第１方向Ｘに並べて配置されている。第３オプション受け１３６は、第１方向Ｘに沿って足ボトム２５に対応する位置に配置されている。第３オプション受け１３６は、第１オプション受け２に対して第１方向Ｘに並べて配置されている。
オプション受け１３１，１３６は、第１オプション受け２と、取り付け部８１を除いて同様に構成されている。オプション受け１３１，１３６は、第１オプション受け２の取り付け部８１に代えて固定部（不図示）を備えている。固定部は、メインフレーム３２に溶接されている。オプション受け１３１，１３６は、例えば身体支持装置１０を購入したときに、身体支持装置１０に固定されている。
オプション受け１３１，１３６の固定部に対して、オプション受け１３１，１３６の受け部１３２，１３７は第２方向Ｙの位置を調節できる。
【００５６】
［各オプション受けの配置例］
図１４に示す身体支持システム１では、第１オプション受け２の受け部１０１を第２方向Ｙにおける身体支持装置１０とは反対側に移動させ、オプション受け１３１，１３６の受け部１３２，１３７を第２方向Ｙにおける身体支持装置１０側に移動させている。柵１２１は、第１オプション受け２に取り付けられている。柵１２１が取り付けられていないオプション受け１３１，１３６を、第２方向Ｙにおける身体支持装置１０側に移動させておくと、使用者が身体支持システム１の支持台１１上に乗ったり支持台１１から降りたりする際に、オプション受け１３１，１３６が支障となりにくく、安全性を確保できる。
身体支持システム１に柵１２１をこのように取り付けると、１つの柵１２１により使用者の膝から腰が身体支持装置１０上から下方に落ちるのを抑制できる。
【００５７】
図１７に示す身体支持システム１では、第１オプション受け２の受け部１０１を第２方向Ｙにおける身体支持装置１０側に移動させ、オプション受け１３１，１３６の受け部１３２，１３７を第２方向Ｙにおける身体支持装置１０とは反対側に移動させている。柵１２１は、オプション受け１３１，１３６にそれぞれ取り付けられている。
身体支持システム１に一対の柵１２１をこのように取り付けると、一対の柵１２１により使用者の全身が身体支持装置１０上から下方に落ちるのを抑制できる。
【００５８】
以上説明したように、本実施形態の第１オプション受け２によれば、身体支持装置１０に取り付け部８１を取り付けた後であっても、取り付け部８１と受け部１０１とが重なる範囲を変更することにより、身体支持装置１０に対する受け部１０１の位置を調節できる。したがって、第１オプション受け２を多様な身体支持装置１０に適用できる。
第２オプション受け１３１と第３オプション受け１３６との間に第１オプション受け２を取り付けることで、オプション受け２，１３１，１３６が身体支持装置１０のベースフレーム３１と連続した第１方向Ｘに連なるデザインとなり、不要な凹凸を削減できる。これにより、身体支持システム１の安全性および清拭性を高められる。
【００５９】
取り付け部８１は、身体支持装置１０のメインフレーム３２を挟む第１部材８２および第２部材８３を有する。メインフレーム３２を第１部材８２および第２部材８３で挟むことで、身体支持装置１０に取り付け部８１を簡単に取り付けられる。
取り付け部８１が第１ボルト８５を備えている。メインフレーム３２、第１部材８２、および第２部材８３に第１ボルト８５がそれぞれ接触するため、身体支持装置１０に取り付け部８１を確実に取り付けられる。
【００６０】
受け部１０１は、取り付け部８１に対して第２方向Ｙにスライドする。これにより、取り付け部８１と受け部１０１とが重なる範囲を変更し、第２方向Ｙにおいて、身体支持装置１０に対する受け部１０１の位置を容易に調節できる。
また、本実施形態の第１オプション受け２によれば、多様な身体支持装置１０に適用できる第１オプション受け２を用いて身体支持システム１を構成できる。
【００６１】
以上、本発明の一実施形態について図面を参照して詳述したが、具体的な構成はこの実施形態に限られるものではなく、本発明の要旨を逸脱しない範囲の構成の変更、組み合わせ、削除等も含まれる。
例えば、前記実施形態では、取り付け部８１の本体８４に貫通孔８４ａが形成され、受け部１０１の腕部１０３に長孔１０７ａが形成されるとした。しかし、本体８４に第２方向Ｙに延びる長孔が形成され、受け部１０１に貫通孔が形成されるとしてもよい。
受け部１０１の腕部１０３に係合部１０９が形成され、取り付け部８１の本体８４に被係合部であるスリット８４ｂが形成されるとした。しかし、腕部１０３に複数のスリットが形成され、本体８４にこれらのスリットに係合する係合部が形成されてもよい。
取り付け部８１に対して受け部１０１がスライドする方向は、第２方向Ｙに限られず、第１方向Ｘや第３方向Ｚ等でもよい。
【００６２】
受け部は、取り付け部に対してスライドするものではなく、取り付け部の周りを回転するものでもよい。取り付け部８１は、部材８２，８３、第１ボルト８５を備えなくてもよい。
オプション受けが身体支持装置１０の第１方向Ｘの中央部に取り付けられる第１オプション受け２であるとした。しかし、オプション受けはこれに限定されず、身体支持装置１０の背ボトム２１に対応する位置に取り付けられてもよいし、身体支持装置１０の足ボトム２５に対応する位置に取り付けられてもよい。
取り付け部８１は、身体支持装置１０に取り付けられた後で、身体支持装置１０から取外せなくてもよい。
身体支持装置１０は寝台装置であるとしたが、身体支持装置１０はこれに限定されず、透析チェア、ストレッチャー、クリニカルチェア等でもよい。オプションは柵１２１に限定されず、テーブル等でもよい。
【符号の説明】
【００６３】
１    身体支持システム
２    第１オプション受け（オプション受け）
１０  身体支持装置
３２ａ  貫通孔
８１  取り付け部
８２  第１部材
８３  第２部材
８３ｂ  第２通孔
９０ａ  第１通孔
８５  第１ボルト（ボルト）
１０１  受け部
１２１  柵（オプション）
【図１】
2019058254.tif 000003
【図２】
2019058254.tif 000004
【図３】
2019058254.tif 000005
【図４】
2019058254.tif 000006
【図５】
2019058254.tif 000007
【図６】
2019058254.tif 000008
【図７】
2019058254.tif 000009
【図８】
2019058254.tif 000010
【図９】
2019058254.tif 000011
【図１０】
2019058254.tif 000012
【図１１】
2019058254.tif 000013
【図１２】
2019058254.tif 000014
【図１３】
2019058254.tif 000015
【図１４】
2019058254.tif 000016
【図１５】
2019058254.tif 000017
【図１６】
2019058254.tif 000018
【図１７】
2019058254.tif 000019